(57)【要約】【課題】穂先竿用アダプタの新規構造の提案【解決手段】ここで提案される穂先竿用アダプタ１０は、リール接続部１１ａを有する第１軸１１と、第１軸１１に回動可能に接続され、かつ、穂先竿接続部１２ａを有する第２軸１２と、第１軸１１と第２軸１２との角度を固定する第１固定部材１３と、第１軸１１に設けられた脚部材１４とを備えている。【選択図】図１
2018057296.tif 000002
【特許請求の範囲】
【請求項１】
リール接続部を有する第１軸と、
前記第１軸に回動可能に接続され、かつ、穂先竿接続部を有する第２軸と、
前記第１軸と前記第２軸との角度を固定する第１固定部材と、
前記第１軸に設けられた脚部材と
を備えた、穂先竿用アダプタ。
【請求項２】
前記脚部材は、前記第１軸の中間部よりも前記第２軸に接続された基端部側に配置されている、請求項１に記載された穂先竿用アダプタ。
【請求項３】
前記脚部材は、前記第１軸を支持する高さが変更可能な機構を有する、請求項１または２に記載された穂先竿用アダプタ。
【請求項４】
前記脚部材は、前記第１軸に対して周方向に回動可能に取り付けられた第１部材および第２部材と、前記第１部材および第２部材の角度を固定する第２固定部材とを備えている、請求項３に記載された穂先竿用アダプタ。
【請求項５】
前記第１部材と前記第２部材は、それぞれ前記第１軸に装着される装着孔を有しており、
前記第１軸は、外周面にねじ溝が形成されており、
前記第２固定部材は、当該ねじ溝に装着され、前記第１軸に前記脚部材に当てられた第１ねじと、前記第１ねじに当てられた前記第２ねじとを備えた、請求項４に記載された穂先竿用アダプタ。
【請求項６】
前記第２ねじは、第１ねじに当てられる側に段差を有し、第１ねじと第２ねじとの間に溝が形成された、請求項５に記載された穂先竿用アダプタ。
【請求項７】
前記第１ねじと第２ねじはそれぞれローレットねじである、請求項５または６に記載された穂先竿用アダプタ。
【請求項８】
前記第１部材と前記第２部材との間の第１軸に、エラストマからなる第１ワッシャーが装着されている、請求項５から７までの何れか一項に記載された穂先竿用アダプタ。
【請求項９】
前記第１軸の基端部と前記第１部材との間、および、前記第２部材と前記第１ねじとの間の第１軸において、それぞれ樹脂製の第２ワッシャーが装着されている、請求項５から８までの何れか一項に記載された穂先竿用アダプタ。
【発明の詳細な説明】
【技術分野】
【０００１】
穂先竿用アダプタに関する。
【背景技術】
【０００２】
穂先竿用アダプタとして、例えば、下記特許文献１のようなものが市販されている。かかる可変アダプタは、電動リールの接続穴に装着される第１軸と、当該第１軸に対して回動自在に接続されており、かつ、ワカサギ釣りなどで用いられる穂先竿が装着される第２軸とを備えている。第１軸と第２軸の角度は、調節された後で、固定され、電動リールに対して穂先竿の角度が変えられる構造を有している。
【先行技術文献】
【非特許文献】
【０００３】
【非特許文献１】グローブライド株式会社、ワカサギ可変アダプタ、http://www.daiwaweb.com/jp/fishing/item/terminal_tackle/wakasagi/crystia_w_adapter_14/index.html
【発明の概要】
【発明が解決しようとする課題】
【０００４】
ところで、本発明者の知見では、かかる穂先竿用アダプタが取り付けられると、穂先竿が下方に向けて傾けられる。その分、竿先は下方へ引っ張られやすくなる。また、電動リールは据置き型である。電動リールの底には、例えば、前部と後部とに脚が設けられ、台に接地している。このような場合、アダプタを取り付けると、電動リールの前部に設けられる脚に対して穂先よりに作用点がより前方になり、さらに下方に引っ張られる。このため、電動リールが前部の支点を中心に後部が上方に持ち上げられやすくなる。
【課題を解決するための手段】
【０００５】
ここで提案される穂先竿用アダプタは、リール接続部を有する第１軸と、第１軸に回動可能に接続され、かつ、穂先竿接続部を有する第２軸と、第１軸と前記第２軸との角度を固定する第１固定部材と、第１軸に設けられた脚部材とを備えている。
かかる穂先竿用アダプタは、第１軸を支持する脚部材を備えており、取り付けられるリールが倒れ難くなる。
【図面の簡単な説明】
【０００６】
【図１】図１は、穂先竿用アダプタの側面図である。
【図２】図２は、穂先竿用アダプタの平面図である。
【図３】図３は、脚部材１４の背面図である。
【図４】図４は、穂先竿用アダプタの変形例を示す側面図である。
【図５】図５は、変形例である穂先竿用アダプタ１０Ｂを示す側面図である。
【図６】図６は、脚部材の変形例を示す背面図である。
【発明を実施するための形態】
【０００７】
以下、ここで提案される穂先竿用アダプタの一実施形態を図面に基づいて説明する。
【０００８】
図１は、穂先竿用アダプタの側面図である。図２は、穂先竿用アダプタの平面図である。図３は、脚部材１４の背面図である。図４は、穂先竿用アダプタの変形例を示す側面図である。図中、穂先竿用アダプタ１０に対して便宜上の向きを規定する。穂先竿用アダプタ１０に対する上、下、左、右、前、後の向きは、図中、Ｕ、Ｄ、Ｌ、Ｒ、Ｆ、Ｒｒの矢印でそれぞれ表されている。
【０００９】
穂先竿用アダプタ１０は、図１に示すように、電動リール４０と穂先竿６０とに取り付けられる部材である。電動リール４０と穂先竿６０は、図１において、２点鎖線で示されている。電動リール４０には、穂先竿６０の基端部６０ａを装着するための接続穴４０ａが設けられている。電動リール４０は、台８０の上に置かれる。台８０は、例えば、釣り船の仕掛けを落とす穴の縁などに配置される。穂先竿６０は、釣りの状況に応じて調子が異なるものに適宜に取り替えられうる。
【００１０】
穂先竿用アダプタ１０の一端は、電動リール４０の接続穴４０ａに取り付けられる。穂先竿用アダプタ１０の他端には、穂先竿６０が取り付けられる。穂先竿用アダプタ１０の中間部は、電動リール４０の接続穴４０ａに対する穂先竿６０の角度を変える機構を備えている。なお、ここでは、穂先竿用アダプタ１０が取り付けられるリールとして電動リール４０が例示されている。穂先竿用アダプタ１０は、リールに取り付けられるとよく、取り付けられるリールは必ずしも電動である必要はない。以下、ここで提案される穂先竿用アダプタ１０をより詳しく説明する。
【００１１】
穂先竿用アダプタ１０は、図１に示すように、第１軸１１と、第２軸１２と、第１固定部材１３と、脚部材１４と、ガイド１５とを備えている。
【００１２】
第１軸１１は、リール接続部１１ａと、脚部材１４を取り付ける脚取付部１１ｂと、第２軸１２に接続される第１接続部１１ｃとを備えている。
【００１３】
この実施形態では、リール接続部１１ａは、第１軸１１の一端に設けられている。リール接続部１１ａは、電動リール４０に設けられる接続穴４０ａに装着可能な軸部である。リール接続部１１ａは、例えば、図１に示されているように、穂先竿６０の基端部と大凡同じ外径の中実軸で構成されているとよい。
【００１４】
脚取付部１１ｂは、図２に示されているように、第１軸１１の中間部に設けられている。脚取付部１１ｂは、外方に延びたフランジ部１１ｂ１と、当該フランジ部１１ｂ１よりもリール接続部１１ａ側に設けられた脚装着軸部１１ｂ２と、脚装着軸部１１ｂ２よりもリール接続部１１ａ側に形成されたねじ溝１１ｂ３とを備えている。なお、図２では、脚取付部１１ｂに取り付けられる脚部材１４が部分的に破断された状態が示されており、脚取付部１１ｂが露見している。
【００１５】
第１接続部１１ｃは、リール接続部１１ａとは反対側の端部に設けられている。第１接続部１１ｃは、他方の第２軸１２が回動可能な構造を備えていると良い。この実施形態では、図２に示されているように、第１軸１１の方では、予め定められた間隔をあけ、かつ、軸方向に沿って延びた２本の取付片１１ｃ１，１１ｃ２が設けられている。２本の取付片１１ｃ１，１１ｃ２を横断するように、ねじ穴１１ｃ３が形成されている。
【００１６】
第２軸１２は、第１軸１１に回動可能に接続されている。第２軸１２には穂先竿接続部１２ａと、ガイド取付部１２ｂと、第２接続部１２ｃとを備えている。
【００１７】
穂先竿接続部１２ａは、第１軸１１に回動可能に接続された第２軸１２の先端に設けられており、穂先竿６０の基端部と大凡同じ内径を有する中空軸部を有している。当該中空の穂先竿接続部１２ａの最深部には、小穴１２ａ１が貫通形成されている。なお、この実施形態では、小穴１２ａ１は、穂先竿接続部１２ａに穂先竿６０を挿し込む際の空気抜き用の穴として機能するとともに、ガイド１５を取り付けるための穴としても機能している。なお、図２では、ガイド１５が取り外された状態で図示されている。
【００１８】
ガイド取付部１２ｂは、図１に示すように、ガイド１５を取り付けるための部位である。この実施形態では、第１軸１１が取り付けられる第２軸１２の基端側に貫通した上述した小穴１２ａ１が、ガイド取付部１２ｂとして機能する。
【００１９】
この実施形態では、ガイド１５は、金属の線材を曲げた部材である。ガイド１５は、上述のようにガイド１５を取り付ける穴として機能する小穴１２ａ１に第２軸１２の外側から挿し込まれて取り付けられている。ガイド１５は、小穴１２ａ１に取り付けられる端部と、第２軸１２と第１軸１１の接続部の上方に延びており、上端に釣り糸を通すためのガイド穴１５ａとを備えている。ガイド穴１５ａは、この実施形態では、線材を曲げて形成された輪がガイド穴１５ａとして機能する。なお、ガイド１５の構造は、かかる形態に限定されない。
【００２０】
第２接続部１２ｃは、第１軸１１の第１接続部１１ｃに対して回動自在に取り付けられる部位である。この実施形態では、第２軸１２の軸方向に延び、第１接続部１１ｃの２本の取付片１１ｃ１，１１ｃ２の間に装着される取付片１２ｃ１を備えている。取付片１２ｃ１には、ねじ穴１２ｃ３が形成されている。ねじ穴１２ｃ３は、２本の取付片１１ｃ１，１１ｃ２に適切に装着された状態において、第１接続部１１ｃの２本の取付片１１ｃ１，１１ｃ２に形成されたねじ穴１１ｃ３に合致するように形成されている。
【００２１】
第１固定部材１３は、第１軸１１と第２軸１２との角度を固定する部材である。この実施形態では、図１および図２に示すように、第１軸１１の第１接続部１１ｃと第２軸１２の第２接続部１２ｃに形成されたねじ穴１１ｃ３、１２ｃ３に取り付けられるねじ１３ａである。ねじ１３ａは、第１接続部１１ｃの２本の取付片１１ｃ１，１１ｃ２の片側の取付片１１ｃ１から装着されており、反対側の取付片１１ｃ２にねじの先端が到達している。ねじ１３ａを締めつけると、第１軸１１の２本の取付片１１ｃ１，１１ｃ２に第２軸１２の取付片１２ｃ１が挟まれ、第１軸１１に対する第２軸１２の角度が固定される。なお、第１軸１１、第２軸１２および第１軸１１と第２軸１２の角度を調整し、固定する第１固定部材１３などの構造は、かかる構造に限定されない。
【００２２】
脚部材１４は、第１軸１１に設けられた部材である。脚部材１４は図１に示すように、第１軸１１に取り付けられ、電動リール４０が置かれる台８０に接地している。かかる脚部材１４によって、第１軸１１が支えられる。このため、穂先竿６０の先端が下方に引っ張られた場合でも、第１軸１１が取り付けられた電動リール４０は前方に倒れ難い。換言すれば、脚部材１４によって台８０に接地し、第１軸１１を支持する支点ができ、電動リール４０が前側に倒れ難くなる。
【００２３】
この実施形態では、脚部材１４は、第１軸１１の中間部よりも第２軸１２に接続された基端部側に配置されている。脚部材１４が、第１軸１１の中間部よりも第２軸１２に接続された基端部側に配置されていることによって、第１軸１１を支持する支点が電動リール４０のよりも前方に配置されている。このため電動リール４０が前側にさらに倒れにくくなる。
【００２４】
脚部材１４は、第１軸１１を支持する高さが変更可能な機構を有する。この実施形態では、脚部材１４は、第１部材１４ａと、第２部材１４ｂと、第２固定部材１４ｃとを備えている。第１部材１４ａと第２部材１４ｂとは、第１軸１１に対して周方向に回動可能に取り付けられている。この実施形態では、図３に示すように、第１部材１４ａと、第２部材１４ｂは、板状の部材であり、一端にそれぞれ第１軸１１の脚取付部１１ｂに装着可能な装着孔１４ａ１，１４ｂ１を有している。第２部材１４ｂが前（第１軸１１のフランジ部１１ｂ１側）、第１部材１４ａが第２部材１４ｂの後になるように、それぞれ第１軸１１の脚取付部１１ｂに装着されている。第１部材１４ａと第２部材１４ｂは、第１軸１１に対して左右に開いたり閉じたりする。第１軸１１に対する第１部材１４ａと第２部材１４ｂの角度が変わることによって、脚部材１４が第１軸１１を支持する高さが変わる。
【００２５】
第２固定部材１４ｃは、第１部材１４ａおよび第２部材１４ｂの角度を固定する部材である。この実施形態では、第１軸１１の脚取付部１１ｂの外周面には、ねじ溝１１ｂ３が形成されている（図２参照）。第２固定部材１４ｃは、例えば、ねじ溝１１ｂ３に装着されて第１部材１４ａと第２部材１４ｂの角度を固定するものであるとよい。この実施形態では、第２固定部材１４ｃは、第１ねじ１４ｃ１と、第２ねじ１４ｃ２とを備えている。第１ねじ１４ｃ１は、第１軸１１の脚取付部１１ｂに対して前側に装着されており、第１軸１１に脚部材１４に当てられる。第２ねじ１４ｃ２は、後側に装着されて第１ねじ１４ｃ１に当てられる。
【００２６】
この場合、第１軸１１に対する第１部材１４ａと第２部材１４ｂとの角度を調節する。次に、第１ねじ１４ｃ１を脚部材１４に向けて締め付けて第１部材１４ａと第２部材１４ｂとの角度を仮固定する。さらに、第２ねじ１４ｃ２を第１ねじ１４ｃ１に向けて締め付けて第１ねじ１４ｃ１の緩み止めとして機能させる。これによって、第１部材１４ａと第２部材１４ｂの角度が固定される。このように、第１ねじ１４ｃ１と第２ねじ１４ｃ２とは、ダブルナットとして機能する。
【００２７】
第１部材１４ａと第２部材１４ｂの角度は、第１軸１１を支持する第１部材１４ａと第２部材１４ｂが台８０に接地するように調整するとよい。第１部材１４ａと第２部材１４ｂとを台８０に接地させることによって、電動リール４０の前に台８０に支持される支点が生じる。これによって、電動リール４０が前側に倒れ難くなる。この実施形態では、第１部材１４ａと第２部材１４ｂの角度を調整し、かつ、固定できるので、取り付けられる電動リール４０が変わったり、台８０の形状が変わったりしても、第１軸１１に取り付けられた脚部材１４を台８０に接地させることができる。脚部材１４の構造は、かかる構造に限定されない。
【００２８】
例えば、第２ねじ１４ｃ２は、第１ねじ１４ｃ１よりも厚いねじであると良い。この実施形態では、第１ねじ１４ｃ１と第２ねじ１４ｃ２は、それぞれ外周面に凹凸を有するローレットねじで構成されており、作業者が手で回すことができる。この場合、後から締める第２ねじ１４ｃ２が厚いと、第２ねじ１４ｃ２に力を作用させやすくなる。このため、釣り人の作業性が良くなる。この場合、第１ねじ１４ｃ１の幅が３ｍｍ程度である場合、第２ねじ１４ｃ２の幅は、例えば、３ｍｍ以上、より好ましくは、６ｍｍ以上であるとよい。また、この場合、第２ねじ１４ｃ２の幅は、１ｃｍ程度でもよい。
【００２９】
図４は、変形例である穂先竿用アダプタ１０Ａを示している。図４に示すように、第２ねじ１４ｃ２は、第１ねじ１４ｃ１に当てられる側に段差１４ｃ３を有していてもよい。この場合、段差１４ｃ３によって、第１ねじ１４ｃ１の外周面と第２ねじ１４ｃ２の外周面との間に溝１４ｄが形成される。この溝１４ｄの幅は、例えば、１ｍｍ以上であるとよく、例えば、１ｍｍ以上３ｍｍ以下程度であるとよい。かかる段差１４ｃ３による溝が形成されていることによって、第２ねじ１４ｃ２を回す際に、第１ねじ１４ｃ１に指が当たり難くなる。このため、第２ねじ１４ｃ２を操作する際に第１ねじ１４ｃ１が連れて回りにくくなる。
【００３０】
図５は、変形例である穂先竿用アダプタ１０Ｂを示している。図５に示すように、穂先竿用アダプタ１０Ｂは、ワッシャー２１，２２，２３を備えている。その余の点において、図４に示された穂先竿用アダプタ１０Ａと同様の構造を有している。
【００３１】
ワッシャー２１は、第１軸１１の基端部（ここでは、フランジ部１１ｂ１）と第１部材１４ａとの間において第１軸１１に装着されている。かかるワッシャー２１は、第１軸１１のフランジ部１１ｂ１と第１部材１４ａとの間において、第１軸１１のフランジ部１１ｂ１に対して第１部材１４ａが適度な摩擦でスムーズに動くように摩擦力を調整するためのものである。かかるワッシャー２１には、例えば、０．３ｍｍ厚程度のナイロン製のワッシャーが用いられうる。
【００３２】
ワッシャー２２は、第１部材１４ａと第２部材１４ｂとの間において第１軸１１に装着されている。かかるワッシャー２２は、第１ねじ１４ｃ１が締められた後で、第１部材１４ａと第２部材１４ｂとが動き過ぎるのを防止する部材である。ここでワッシャー２２には、０．３ｍｍ厚程度のゴムワッシャーが用いられうる。
【００３３】
また、ワッシャー２３は、第２部材１４ｂと第１ねじ１４ｃ１との間において第１軸１１に装着されている。ワッシャー２３は、第２部材１４ｂが第１ねじ１４ｃ１に対して適度な摩擦でスムーズに動くように摩擦力を調整するためのものである。つまり、第１ねじ１４ｃ１に対して、第２部材１４ｂが第１ねじ１４ｃ１に連れて回るのを防止できる。かかるワッシャー２３には、例えば、０．３ｍｍ厚程度のナイロン製のワッシャーが用いられうる。
【００３４】
このように第１部材１４ａと第２部材１４ｂとの間において第１軸１１に、エラストマからなる第１ワッシャー２２が装着されていてもよい。これにより、第１部材１４ａと第２部材１４ｂとが滑りにくくなるので、第１部材１４ａと第２部材１４ｂとが第１軸１１を支持する高さが調整しやすくなる。かかる観点において、エラストマからなる第１ワッシャー２２には、例えば、工業用のゴムワッシャーなど、所要の耐久性と摩擦力が得られるエラストマを適宜に採用してもよい。例えば、アスク工業株式会社製のアスナーシートが用いられうる。また、第１ワッシャー２２の厚さは、例えば、０．１ｍｍ以上０．５ｍｍ以下程度であるとよい。
【００３５】
また、第１軸１１のフランジ部１１ｂ１と第１部材１４ａとの間、および、第２部材１４ｂと第１ねじ１４ｃ１との間の第１軸１１において、それぞれ樹脂製の第２ワッシャーが装着されていてもよい。これにより、第１軸１１のフランジ部１１ｂ１と第１部材１４ａとの間、および、第２部材１４ｂと第１ねじ１４ｃ１との間の適度な滑りを確保できる。かかる構成によって、第１軸１１のフランジ部１１ｂ１と第１部材１４ａとの間、および、第２部材１４ｂと第１ねじ１４ｃ１との間が、第１部材１４ａと第２部材１４ｂとの間よりも先に滑る。このため、第１部材１４ａと第２部材１４ｂとの角度を維持しつつ、第１部材１４ａと第２部材１４ｂとが接地するようになり、第１部材１４ａと第２部材１４ｂとが第１軸１１を支持する高さが調整しやすくなる。かかる観点において、第２ワッシャー２１、２３には、例えば、ナイロン製のワッシャーが用いられうる。厚さは、例えば、０．２ｍｍ以上０．５以下程度であるとよい。
【００３６】
ここまで、脚部材として、第１軸１１に装着された第１部材１４ａと、第２部材１４ｂとからなり、第１軸１１を支持する高さが変更可能な機構を有する構造を例示した。この実施形態では、脚部材１４は、第１軸１１を支持しうる構造であればよい。図６は、脚部材の変形例を示している。図６に示すように、脚部材３０は、上述した穂先竿用アダプタ１０において、脚部材１４に代えて、第１軸１１に装着される部材である。脚部材３０は、図６に示すように、第１軸１１に装着される穴３０ａを、当該穴３０ａが設けられる基部から、左右に延びた脚部３０ｂ、３０ｃを有している。この場合、脚部材３０は、安定して第１軸１１を支持できるように、所要の厚さを有しているとよい。この脚部材３０は、高さを調節する構造を有していないが、高さ違いの複数の部材を用意しておくとよい。また、脚部材３０は、第１軸１１に装着されるとよく、第１ねじ１４ｃ１や第２ねじ１４ｃ２は無くても良い。例えば、脚部材３０は、第１軸１１に圧入されるものでもよい。また、脚部材３０の穴３０ａと第１軸１１との間に滑り止めが装着されていてもとよい。
【００３７】
以上、ここで提案される穂先竿用アダプタの一実施形態を説明したが、ここで提案される穂先竿用アダプタは、特に言及されない限りにおいて、上述した実施形態に限定されない。
【符号の説明】
【００３８】
１０，１０Ａ、１０Ｂ  穂先竿用アダプタ
１１  第１軸
１１ａ  リール接続部
１１ｂ  脚取付部
１１ｂ１  フランジ部
１１ｂ２  脚装着軸部
１１ｂ３  ねじ溝
１１ｃ  第１接続部
１１ｃ１  第１取付片
１１ｃ２  第２取付片
１１ｃ３  ねじ穴
１２  第２軸
１２ａ  穂先竿接続部
１２ａ１  小穴
１２ｂ  ガイド取付部
１２ｃ  第２接続部
１２ｃ１  取付片
１２ｃ３  ねじ穴
１３  第１固定部材
１３ａ  ねじ
１４、３０  脚部材
１４ａ  第１部材
１４ｂ  第２部材
１４ａ１，１４ｂ１  装着孔
１４ｃ  第２固定部材
１４ｃ３  段差
１４ｄ  溝
１５  ガイド
１５ａ  ガイド穴
２１〜２３  ワッシャー
４０  電動リール（リール）
４０ａ  接続穴
６０  穂先竿
６０ａ  基端部
８０  台
【図１】
2018057296.tif 000003
【図２】
2018057296.tif 000004
【図３】
2018057296.tif 000005
【図４】
2018057296.tif 000006
【図５】
2018057296.tif 000007
【図６】
2018057296.tif 000008